(57)【特許請求の範囲】
【請求項１】
シリンジ、針もと、連動部およびプランジャーロッドを備え、
前記シリンジは、筒状体および針固定部を有し、前記針固定部は前記筒状体の一端から伸びて形成され、内壁面に環状固定溝を有し、
前記針もとは、前記シリンジの前記針固定部に着脱可能に装着され、かつ第一環状壁、第一内側突起部、第二内側突起部および第一環状固定部を有し、前記第一内側突起部および前記第二内側突起部は相互に間隔を置くように前記第一環状壁の内壁面に形成され、さらに前記第一内側突起部の内径が第二内側突起部の内径より小さく、前記第一環状固定部は前記第一環状壁の一端に形成され、前記シリンジの前記針固定部の前記環状固定溝に嵌め込まれ、
前記連動部は、前記シリンジの軸方向に沿って移動できるように前記針もとの前記第一環状壁の内側に装着され、第二環状壁、第一外側突起部および第二環状固定部を有し、前記第二環状壁は第一外側突起部と第二環状固定部との間に形成され、少なくとも一つの弾性翼部を有し、前記第一外側突起部は前記第二環状壁の一端に形成され、前記連動部が軸方向に移動することによって前記針もとの前記第一内側突起部又は前記第二内側突起部に嵌合され、前記第二環状固定部は前記第二環状壁の別の一端に形成され、かつ前記針もとの前記第一環状固定部を押圧し、
前記プランジャーロッドは、前記シリンジの前記筒状体の内部を軸方向に移動でき、押圧部および第二外側突起部を有し、前記押圧部は前記連動部の前記第二環状壁の内部に入り込み、前記第二外側突起部は前記押圧部の外壁面に形成され、前記プランジャーロッドが軸方向に移動することによって前記連動部の前記弾性翼部に嵌合されることを特徴とする安全注射器。
【請求項２】
前記針もとは、さらに端壁および管壁を有し、前記端壁は前記第一環状壁上の前記第一環状固定部に向かう一端に形成され、前記端壁と前記第二内側突起部の間の距離が前記端壁と前記第一内側突起部の間の距離より小さく、前記管壁は前記端壁の一端から前記第一環状壁から離れる方向へ伸び、前記シリンジの前記針固定部の外部に露出することを特徴とする請求項1に記載の安全注射器。
【請求項３】
前記連動部の前記第二環状壁は、少なくとも一つの中空溝を有し、前記弾性翼部は前記中空溝に配置されることを特徴とする請求項１に記載の安全注射器。
【請求項４】
前記連動部の前記第二環状壁は、二つの前記中空溝および二つの前記弾性翼部を有し、前記中空溝は中に前記弾性翼部を有し、二つの前記弾性翼部の間の距離がプランジャーロッドの前記押圧部の前記第二外側突起部の外径より小さいことを特徴とする請求項3に記載の安全注射器。
【請求項５】
前記連動部の前記第二環状固定部の外径が前記針もとの前記第一環状固定部の外径より大きく、前記針もとの前記第一環状固定部の外径が前記連動部の前記第一外側突起部の外径より大きいことを特徴とする請求項1に記載の安全注射器。
【発明の詳細な説明】
【技術分野】
【０００１】
本発明は、医療器材、特に安全注射器に関するものである。
【背景技術】
【０００２】
注射器は注射針を介して薬液、血液または栄養液などの液体を体内に注入する器具である。注射が完了した後、医療関係者またはほかの人が注射針で負傷することを防止するため、血液が付着した使用済注射針を処理しなければならない。
【０００３】
使用済注射針を処理する際、注射針をキャップに差し込んで保管することが最も一般的である。しかしながら、注射針を差し込む際、医療人員は自らの不注意で、または何かにぶつかって針刺し事故を起こす可能性があるため、不慮に感染するリスクが高い。
【発明の概要】
【発明が解決しようとする課題】
【０００４】
本発明は、操作が簡単であるだけでなく使用済注射針を確実に保管し、針刺し事故を抑制することが可能な安全注射器を提供することを主な目的とする。
【課題を解決するための手段】
【０００５】
上述の目的を達成するために、本発明による安全注射器は、シリンジ、針もと、連動部およびプランジャーロッドを備える。シリンジは筒状体および針固定部を有する。針固定部は筒状体の一端から伸びて形成され、内壁面に環状固定溝を有する。針もとはシリンジの針固定部に着脱可能に装着され、かつ第一環状壁、第一内側突起部および第一環状固定部を有する。第一内側突起部は第一環状壁の内壁面に形成される。第一環状固定部は第一環状壁の一端に形成され、シリンジの針固定部の環状固定溝に嵌め込まれる。連動部は針もとの第一環状壁の内側に装着され、第二環状壁および第一外側突起部を有する。第二環状壁は少なくとも一つの弾性翼部を有する。第一外側突起部は第二環状壁の外壁面に形成され、連動部が軸方向に移動することによって針もとの第一内側突起部に嵌合される。プランシャーロッドはシリンジの筒状体の内部を軸方向に移動でき、押圧部および第二外側突起部を有する。押圧部は連動部の第二環状壁の内部に入り込む。第二外側突起部は押圧部の外壁面に形成され、プランシャーロッドが軸方向に移動することによって連動部の弾性翼部に嵌合される。上述した構造により、連動部はプランシャーロッドに引っ張られ、針もとから引き離される方向へ移動すると同時に、針もとおよび針もとに装着された針をシリンジの奥に引き込まれる。
【０００６】
一方、針もとは第一環状壁の別の一端に形成された端壁と、第一環状壁の内壁面を突起させて形成した第二内側突起部とを有する。第二内側突起部は第一内側突起部と端壁との間に位置付けられる。上述した構造により、針もとに連動部を装着する際、連動部の第一外側突起部を針もとの第二内側突起部に嵌めれば固定効果を果たすことができる。
【０００７】
一方、連動部の第二環状壁は二つの中空溝および二つの弾性翼部を有する。中空溝は弾性翼部を有する。二つの弾性翼部の間の距離がプランシャーロッドの押圧部の第二外側突起部の外径より小さい。上述した構造により、プランシャーロッドによって注射を行う際、連動部の二つの弾性翼部はプランシャーロッドの押圧部の第二外側突起部によって押圧され、径方向に拡張される。プランシャーロッドの押圧部が通過すると、連動部の二つの弾性翼部は復元弾力によってプランシャーロッドの押圧部の第二外側突起部に嵌合される。
【０００８】
一方、連動部はさらに第二環状固定部を有する。第二環状固定部は第二環状壁の別の一端に形成され、針もとの第一環状固定部に当接し、針もとの第一環状固定部を径方向に変形させ、シリンジの環状固定溝内に嵌め込む。
【０００９】
一方、プランシャーロッドは底部に弾性ガスケットを有する。弾性ガスケットは先端に緩衝部を有する。緩衝部が第二環状固定部に当接する際、再び力を入れれば弾性翼部と第二外側突起部とを嵌め合わせることができる。
【図面の簡単な説明】
【００１０】
【図１】本発明の一実施形態による安全注射器を示す断面図である。
【図１Ａ】図１の一部分、即ち弾性ガスケットに突出した緩衝部を示す拡大図である。
【図２】本発明の一実施形態による安全注射器を示す分解断面図である。
【図３】本発明の一実施形態による安全注射器の針もとを示す斜視図である。
【図４】本発明の一実施形態による安全注射器の針もとを示す断面図である。
【図５】本発明の一実施形態による安全注射器の連動部を示す斜視図である。
【図６】本発明の一実施形態による安全注射器の連動部を示す断面図である。
【図７】本発明の一実施形態による安全注射器の一部分、即ち連動部の第一外側突起部が針もとの第二内側突起部に嵌合された状態を示す断面図である。
【図７Ａ】図７の一部分、即ち緩衝部が押圧された状態を示す拡大図である。
【図８】本発明の一実施形態による安全注射器の一部分、即ち連動部の第一外側突起部が針もとの第一内側突起部に嵌合された状態を示す断面図である。
【図９】本発明の一実施形態による安全注射器の一部分、即ち針もとが連動部に引っ張られ、シリンジの奥に引き込まれた状態を示す断面図である。
【発明を実施するための形態】
【００１１】
（一実施形態）
図１および図２に示すように、本発明の一実施形態による安全注射器１０は、シリンジ２０、針もと３０、連動部４０およびプランジャーロッド５０を備える。
【００１２】
シリンジ２０は、筒状体２１、開口部２２および針固定部２３を有する。開口部２２は筒状体２２の先端に形成される。針固定部２３は筒状体２２の底部から伸びて形成され、内壁面に環状固定溝２４を有する。
【００１３】
図３および図４に示すように、針もと３０は、針（図中未表示）の固定に用いられ、かつ第一環状壁３１、第一内側突起部３２および第二内側突起部３３を有する。第一内側突起部３２および第二内側突起部３３は相互に間隔を置いて第一環状壁３１の内壁面に形成される。第一内側突起部３２の内径が第二内側突起部３３の内径より小さい。針もと３０はさらにパッキング６０、第一環状固定部３４、端壁３５および管壁３６を有する。パッキング６０は第一環状壁３１の外壁面に被さる。第一環状固定部３４は第一環状壁３１の先端から外部へ伸びて形成され、外径が第一内側突起部３２および第二内側突起部３３の外径より大きい。端壁３５は第一環状壁３１の底部に連結される。端壁３５と第二内側突起部３３との間の距離が端壁３５と第一内側突起部３２との間の距離より小さい。管壁３６は端壁３５の外側より第一環状壁３１から離れる方向へ伸びて形成される。
【００１４】
図５および図６に示すように、連動部４０は第二環状壁４１、二つの中空溝４２、二つの弾性翼部４３、第二環状固定部４４および第一外側突起部４５を有する。中空溝４２は向かい合うように第二環状壁４１に形成される。弾性翼部４３は中空溝４２内に配置される。第二環状固定部４４は第二環状壁４１の先端から外部へ伸びる。第一外側突起部４５は第二環状壁４１の底部の外壁面に形成される。第二環状固定部４４の外径が第一外側突起部４５の外径より大きい。第一外側突起部４５の外径が針もと３０の第一内側突起部３２の内径より大きい。
【００１５】
図４、図６、図７および図７Ａに示すように、シリンジ２０、針もと３０および連動部４０を組み立てる際、シリンジ２０の筒状体２１の開口部２２からシリンジ２０の針固定部２３内に針もと３０を差し込み、針もと３０の管壁３６をシリンジ２０の針固定部２３の外部に露出させる。続いて針もと３０の第一環状壁３１の中に連動部４０を詰め、第一外側突起部４５と針もと３０の第二内側突起部３３とを相互に当接させることによって連動部４０を固定する。このとき連動部４０は第二環状固定部４４によって針もと３０の第一環状固定部３４に当接し、針もと３０の第一環状固定部３４を径方向に変形させ、シリンジ２０の環状固定溝２４内に嵌め込む。上述した設計により、針もと３０はシリンジ２０の針固定部２３に固定され、注射を行う際に針から伝わってきた外力に耐えることができる。
【００１６】
プランシャーロッド５０は、シリンジ２０の筒状体２１の開口部２２からシリンジ２０の筒状体２１内に差し込まれ、外力によってシリンジ２０の内部を上下に移動する。図１および図１Ａに示すように、プランシャーロッド５０は底部に被さる弾性ガスケット６２、押圧部５１および第二外側突起部５２を有する。押圧部５１は弾性ガスケット６２を貫通し、弾性ガスケット６２の外部に露出する。第二外側突起部５２は押圧部５１の外壁面に形成される。第二外側突起部５２の外径が連動部４０の二つの弾性翼部４３の間の距離より大きい。弾性ガスケット６２は先端に突出した緩衝部６３を有する。本実施形態において、緩衝部６３は弾性ガスケット６２の先端に位置し、環状突起部を呈するが、これに限らず、突起柱または緩衝効果を有する構造になってもよい。
【００１７】
プランシャーロッド５０を押して注射を行う際、プランシャーロッド５０の押圧部５１は連動部４０の第二環状壁４１の中に入り込み、第二外側突起部５２によって連動部４０の弾性翼部４３を拡張する。図７に示すようにプランシャーロッド５０の押圧部５１の第二外側突起部５２が連動部４０の弾性翼部４３のあたりを通ると、連動部４０の弾性翼部４３は復元弾力によってプランシャーロッド５０の押圧部５１の第二外側突起部５２に当接する。続いてプランシャーロッド５０の押圧部５１の第二外側突起部５２を針もと３０の第一外側突起部４５に当接させるまでプランシャーロッド５０を持続的に押す。このときプランシャーロッド５０の押圧部５１は針もと３０内の液体を最小限に残留させ、注射を完了させる。連動部４０とプランシャーロッド５０とを相互に密着させるステップにおいて、弾性ガスケット６２の先端の緩衝部６３は緩衝部位となるため、緩衝部６３が第二環状固定部４４に当接する際、再び力を入れれば、弾性翼部４３と第二外側突起部５２とを相互に当接させることができる。
【００１８】
図８に示すように、注射が完了し、プランシャーロッド５０を引き込む際、連動部４０とプランシャーロッド５０は相互に密着し、針もと３０はシリンジ２０に固定されるため、連動部４０がプランシャーロッド５０からの外力を受けると、第一外側突起部４５を針もと３０の第二内側突起部３３から強制的に分離させる。このとき連動部４０は針もと３０から離れる方向へ持続的に移動できる。続いて連動部４０の第一外側突起部４５が針もと３０の第一内側突起部３２に当接すると、連動部４０の第二環状固定部４４は針もと３０の第一環状固定部３４から分離し、針もと３０の第一環状固定部３４の耐えた外力を解消し、固定された針もと３０を解放する。図９に示すように、プランシャーロッド５０を持続的に引き込めば、連動部４０と針もと３０とが相互に密着することによって針もと３０および針をシリンジ２０の針固定部２３からシリンジ２０の筒状体２１の奥に引き込み、保管することができる。
【００１９】
上述したとおり、本発明による安全注射器１０は、針もと３０、連動部４０およびプランジャーロッド５０を相互に密着させるため、プランジャーロッド５０によって注射を行う最中に、針もと３０の構造上の安定感を良好に維持し、シリンジ２０から針もと３０を落下させることを抑制することができるだけでなく、残留液を減少させ、浪費を避けることができる。一方、注射が完了した後、プランジャーロッド５０は連動部４０によって針もと３０および針をシリンジ２０の奥に引き込むため、針刺し事故を防止し、針の使い捨てを実現させることができる。一方、注射を行い、プランジャーロッド５０が行き詰まるまで押される際、再び力を入れて押さないと、連動部４０を引き込むことができない。二段階に力を加える設計により、注射の最中に力を入れ過ぎることを避け、連動部４０とプランシャーロッド５０とを相互に密着することができる。
【符号の説明】
【００２０】
１０：安全注射器、  ２０：シリンジ、  ２１：筒状体、  ２２：開口部、  
２３：針固定部、  ２４：環状固定溝、  ３０：針もと、  ３１：第一環状壁、  
３２：第一内側突起部、  ３３：第二内側突起部、  ３４：第一環状固定部、  
３５：端壁、  ３６：管壁、  ４０：連動部、  ４１：第二環状壁、  
４２：中空溝、  ４３：弾性翼部、  ４４：第二環状固定部、  
４５：第一外側突起部、  ５０：プランジャーロッド、  ５１：押圧部、  
５２：第二外側突起部、  ６０：パッキング、  ６２：弾性ガスケット、  
６３：緩衝部
【図１】
0005993919.tif 000002
【図１Ａ】
0005993919.tif 000003
【図２】
0005993919.tif 000004
【図３】
0005993919.tif 000005
【図４】
0005993919.tif 000006
【図５】
0005993919.tif 000007
【図６】
0005993919.tif 000008
【図７】
0005993919.tif 000009
【図７Ａ】
0005993919.tif 000010
【図８】
0005993919.tif 000011
【図９】
0005993919.tif 000012